(57)【特許請求の範囲】
【請求項１】
前側の右方に折目線を介して右側を連設し、該右側の右方に折目線を介して後側を連設し、該後側の右方に折目線を介して左側を連設し、該左側の右方に折目線を介して略長方形の側のりしろを連設し、該前側の上方に折目線を介して、左右端に各横外向きの係止部を有する挿入部を延設し、上部中央に折目線を介して中空きの前把手を連設する前蓋を連設し、該後側の上方に折目線を介して、上部中央に折目線を介して中空きの後把手を連設する後蓋を連設し、該前蓋と該右側と該後蓋に挟まれる領域には折目線を介して、該右側上左右端から中心に向けて斜上する２本の折目線により右折り込み中、右折り込み左、右折り込み右に３分割される右折り込みを連設し、該後蓋と該左側と該側のりしろの上延長部に位置する蓋のりしろに挟まれた領域には折目線を介して、該左側上左右端から中心に向けて斜上する２本の折目線により左折り込み中、左折り込み左、左折り込み右に３分割される左折り込みを連設し、該後蓋と該右折り込み右を画する折目線上に左係止孔を穿設し、該後蓋と該左折り込み左を画する折目線上に右係止孔を穿設したブランクよりなることを特徴とする把手付箱体。
【発明の詳細な説明】
【０００１】
【発明の属する技術分野】
本発明は、ショートケーキ、チョコレート、スナック菓子等の食品類、装飾品、日用小物類などを収納して手提げ形式に持ち運ぶことができるようにした紙製等の把手付箱体に関するものである。
【０００２】
【従来の技術】
従来より、この種の把手付箱体として、有底の箱状とし、上方開口を覆う一対の蓋板を大きく外側に開くことができるようにするとともに、その蓋板自体に取っ手片を連設して、この蓋板を閉じながら把手片を折り起こすようにして合掌させることにより、把手が形成するようにしたものがあるが、これらの多くは紙取り等材料節約を目的としたものが多く、蓋、把手まわりの強度が不十分なものがほとんどであった。
【０００３】
【発明が解決しようとする課題】
ところで、本発明は、上述の欠点に鑑みてなされたものであり、特に蓋、把手まわりの強度を構造的に向上させたばかりでなく、いろいろな形状に対応でき、かつ開閉が容易な把手付箱体を提供しようとするものである。
【０００４】
【課題を解決するための手段】
請求項１に記載の発明は、前側１の右方に折目線ａを介して右側２を連設し、該右側２の右方に折目線ｂを介して後側３を連設し、該後側３の右方に折目線ｃを介して左側４を連設し、該左側４の右方に折目線ｄを介して略長方形の側のりしろ５を連設し、該前側１の上方に折目線ｅを介して、左右端に各横外向きの係止部９、１０を有する挿入部７、８を延設し、上部中央に折目線ｆを介して中空きの前把手１１を連設する前蓋６を連設し、該後側３の上方に折目線ｇを介して、上部中央に折目線ｈ、ｈを介して中空きの後把手１３を連設する後蓋１２を連設し、該前蓋６と該右側２と該後蓋１２に挟まれる領域には折目線ｉ、ｊ、ｋを介して、該右側２上左右端から中心に向けて斜上する２本の折目線ｌ、ｍにより右折り込み中１４、右折り込み左１５、右折り込み右１６に３分割される右折り込み１７を連設し、該後蓋１２と該左側４と該側のりしろの上延長部に位置する蓋のりしろ１８に挟まれた領域には折目線ｎ、ｏ、ｐを介して、該左側４上左右端から中心に向けて斜上する２本の折目線ｑ、ｒにより左折り込み中１９、左折り込み左２０、左折り込み右２１に３分割される左折り込み２２を連設し、該後蓋１２と該右折り込み右１６を画する折目線ｋ上に左係止孔２３を穿設し、該後蓋１２と該左折り込み左２０を画する折目線ｏ上に右係止孔２４を穿設したブランクよりなることを特徴とする把手付箱体である。
【０００５】
【発明の実施の形態】
以下に、本発明を実施の形態に基づき詳細に説明する。
図１は、本発明の把手付箱体のブランクの平面図的な概略図である。
図２は、図１に示した本発明の把手付箱体の施蓋順序を示す概略図である。
図３は、本発明の把手付箱体の他の実施例のブランクの平面図的な概略図である。
その（Ａ）は、左右折り込みを内方に折り込んで前蓋、後蓋を内方に倒しつつあるところを示す。（Ｂ）は、前蓋、後蓋をさらに倒し、前蓋左右端に角状に突出し、各横外向きの係止爪を有する２つの係止部を、それぞれ後蓋、左折り込み左間、後蓋、右折り込み右間に挿入し、まさに各係止爪を右係止孔、左係止孔の上端部に係止しようとするところを示すものである。
図１〜図３において、１は前側、２は右側、３は後側、４は左側、５は側のりしろ、６は前蓋、７、８は挿入部、９、１０は係止部、１１は前把手、１２は後蓋、１３は後把手、１４は右折り込み中、１５は右折り込み左、１６は右折り込み右、１７は右折り込み、１８は蓋のりしろ、１９は左折り込み中、２０は左折り込み左、２１は左折り込み右、２２は左折り込み、２３は左係止孔、２４は右係止孔、ａ、ｂ、ｃ、ｄ、ｅ、ｆ、ｇ、ｈ、ｉ、ｊ、ｋ、ｌ、ｍ、ｎ、ｏ、ｐ、ｑ、ｒ、ｓ、ｔ、ｕ、ｖ、ｗ、ｘは折目線である。
【０００６】
本発明の把手付箱体は上述の１枚のブランクを折り、接着加工してなるものであり、これを組み立てるには、側のりしろ５（表面に接着剤塗布）、蓋のりしろ１８（表面に接着剤塗布）、前底２８、右底２９、後底３０、左底３１をそれぞれ折目線ｄ、ｐ、ｓ、ｔ、ｕ、ｖで山折りして折り返し、さらに該前底２８の折目線ｗ以遠（裏面に接着剤塗布）、該後底３０の折目線ｘ以遠（裏面に接着剤塗布）をそれぞれ該折目線ｗ、ｘで谷折りして折り返した後、折目線ｂ、ｋで大きく山折りして折り返し所定個所を接着固定すればよい。
上述の接着剤塗布位置は一例であり、これは機械適性（製函機）等勘案して決定すればよいことである。
【０００７】
こうして得た折り畳み状態にある本発明の把手付箱体を組み立てるには折目線ｄ、ｐ、折目線ｂ、ｋ相当隅部をもって、これらが相互に近づくように力を加えつつ、底を展開形成させながら直方体形状となすのである。
【０００８】
次に、箱体内に目的物を収容後は、前蓋６、右折り込み１７、後蓋１２、左折り込み２２をそれぞれ折目線ｅ、ｉ、ｇ、ｎで山折りし、同時に折目線ｌ、ｍ、折目線ｑ、ｒを谷折りし、また同時に前把手１１、後把手１３をそれぞれ折目線ｆ、ｈで谷折り合掌させて施蓋、把手形成等を行うことになるのであるが、該前蓋６、該後蓋１２をさらに倒し、該前蓋６左右端に角状に突出し各横外向きの係止部９、１０を有する２つの挿入部７、８をそれぞれ該後蓋１２、左折り込み左２０間、該後蓋１２、右折り込み右１６間に挿入したときは、該各係止部９、１０はそれぞれ右係止孔２４、左係止孔２３の中に係止固定されることになるのである。（第２図を参照されたい）
【０００９】
さらに、前把手１１の中空き中に前蓋６から延設されてその中央部に切り込んで形成された係止舌２６を有する係止帯２５の該係止舌２６を、後把手１３の中空きを通して、後蓋１２中央に穿設してある係止穴２７中に係止固定することもあるが、この他の常法係止手段を利用してもよい。（第３図を参照されたい）
【００１０】
本発明の把手付箱体のブランクは板紙を打ち抜くのと同時、あるいはこれと相前後して各折目線を罫押しして得るものであるが、この他プラスチックシート等を利用して形成してもよい。
【００１１】
【実施例】
本発明の把手付箱体を具体的な実施例をあげて詳細に説明する。
ここでは前蓋６の高さをＬ、後蓋１２の高さをＭ、右側２および左側の幅をＮとして大きく２つに分けて各実施例を説明する。
【００１２】
＜実施例１＞
Ｌ＋Ｍ≧ＮかつＬ＝Ｍのとき。
棟（前蓋と後蓋の上端部が相交わる線、すなわち折目線ｆ、ｈの延長に一致する線であり、前側１、後側３等に平行する）は、折目線ｉの垂直二等分線（または折目線ｎの垂直二等分線）が特定する面内にあり、ほぼ平らな陸屋根形状から入母屋形状までの把手付箱体を得ることができた。
ここに本発明の把手付箱体の全体的な高さ（箱体底面から把手部上端まで）について言及するならば、これは実用を考えれば自ずと制限があるものである。
【００１３】
＜実施例２＞
Ｌ＋Ｍ≧ＮかつＬ≠Ｍのとき。
棟（前蓋と後蓋の上端部が相交わる線、すなわち折目線ｆ、ｈの延長に一致する線であり、前側１、後側３等に平行する）は、実施例１以外、前側１寄りまたは後側３寄りのいずれかに偏ったほぼ平らな陸屋根形状から前蓋と後蓋の面積の異なる入母屋形状までの把手付箱体を得ることができるが、実用を考えると、該棟は折目線ｅ、ｉ、ｇ、ｎの形成する矩形以上の空間内にあるのが好ましい。
ここに本発明の把手付箱体の全体的な高さ（箱体底面から把手部上端まで）について言及するならば、これは実用を考えれば自ずと制限があるものである。
【００１４】
【発明の効果】
本発明の把手付箱体は、特に蓋、把手まわりにふんだんに材料を使ってその周辺の強度を構造的に向上させたものであり、各挿入部を後蓋、左折り込み左間、後蓋、右折り込み右間へ挿入して、その摩擦固定を行うばかりでなく、さらにその各係止部を左右係止孔中へ係止固定を行う構造であるために多少重量の大きな被包装物を収納したときにあっても不用意にその蓋部を破損させてしまうようなことはなく、なおかつその開閉の操作は極めて簡単なものである。
また、本発明の把手付箱体にあっては、機械適性（製函機適性）が良好で大量生産可能であるばかりでなく、組み立ておよび開閉操作が容易であるために店頭等で利用してその効果を十分に発揮するものである。
また、実施例２の場合においては前蓋と後蓋の面積が異なるという全く新規の把手付箱体を提供する。
【図面の簡単な説明】
【図１】本発明の把手付箱体のブランクの平面図的な概略図である。
【図２】本発明の把手付箱体の施蓋順序を示す概略図である。（Ａ）は左右折り込みを内方に折り込んで前蓋、後蓋を内方に倒しつつあるところを示す。（Ｂ）は前蓋、後蓋をさらに倒し、前蓋左右端に角状に突出し、各横外向きの係止部を有する２つの挿入部を、それぞれ後蓋、左折り込み左間、後蓋、右折り込み右間に挿入し、まさに各係止部を右係止孔、左係止孔の上端部に係止しようとするところを示すものである。
【図３】本発明の把手付箱体の他の実施例のブランクの平面図的な概略図である。
【符号の説明】
１…前側
２…右側
３…後側
４…左側
５…側のりしろ
６…前蓋
７、８…挿入部
９、１０…係止部
１１…前把手
１２…後蓋
１３…後把手
１４…右折り込み中
１５…右折り込み左
１６…右折り込み右
１７…右折り込み
１８…蓋のりしろ
１９…左折り込み中
２０…左折り込み左
２１…左折り込み右
２２…左折り込み
２３…左係止孔
２４…右係止孔
２５…係止帯
２６…係止舌
２７…係止穴
２８…前底
２９…右底
３０…後底
３１…左底
ａ、ｂ、ｃ、ｄ、ｅ、ｆ、ｇ、ｈ、ｉ、ｊ、ｋ、ｌ、ｍ、ｎ、ｏ、ｐ、ｑ、ｒ、ｓ、ｔ、ｕ、ｖ、ｗ、ｘ…折目線
【図１】
0004062762.tif 000002
【図２】
0004062762.tif 000003
【図３】
0004062762.tif 000004